(57)【要約】  実施形態に係るセカンダリ基地局は、二重接続方式において、マスタ基地局から分割ベアラを介して転送される移動局宛てのパケットを受信する受信部と、前記マスタ基地局から転送される前記移動局宛てのパケットのうち欠損したパケットを示す情報を前記マスタ基地局に報告する制御部と、を備える。
2015141846.tif 000002
【特許請求の範囲】
【請求項１】
二重接続方式において、マスタ基地局から分割ベアラを介して転送される移動局宛てのパケットを受信する受信部と、
前記マスタ基地局から転送される前記移動局宛てのパケットのうち欠損したパケットを示す情報を前記マスタ基地局に報告する制御部と、
を備えることを特徴とするセカンダリ基地局。
【請求項２】
前記受信部は、前記分割ベアラを解放するためのメッセージを受信し、
前記制御部は、前記メッセージを受信に応じて、前記移動局との通信を停止することを特徴とする請求項１に記載のセカンダリ基地局。
【請求項３】
二重接続方式において、マスタ基地局から分割ベアラを介して受信したＰＤＣＰパケットを移動局に伝達する送信部と、
前記マスタ基地局から受信した前記ＰＤＣＰパケットのうち前記移動局に成功裏に伝達したＰＤＣＰパケットのシーケンス番号を前記マスタ基地局に報告する制御部と、
を備えることを特徴とするセカンダリ基地局。
【請求項４】
二重接続方式において、セカンダリ基地局から分割ベアラを介してＰＤＣＰパケットを受信する受信部と、
前記移動局と前記セカンダリ基地局との間の無線リンクの異常を検出する制御部と、を備え、
前記制御部は、前記無線リンクの異常が検出された後、前記セカンダリ基地局から受信していないＰＤＣＰパケットを特定するための情報を前記マスタ基地局に通知することを特徴とする移動局。
【請求項５】
分割ベアラに属する下りデータを第１無線基地局及び、第２無線基地局から受信可能な移動局を含む移動通信システムにおける通信制御方法であって、
前記第１無線基地局は、前記分割ベアラに属する第１データを前記移動局に送信し、前記分割ベアラに属する第２データを前記第２無線基地局に転送し、
前記第２無線基地局は、前記第２データを前記移動局に送信し、
前記第２無線基地局は、前記第１無線基地局から転送された前記第２データを送信した後に、前記第１無線基地局に、前記第２のデータに関する所定のメッセージを送信することを特徴とする通信制御方法。
【請求項６】
前記第１無線基地局は、前記分割ベアラを解放するためのメッセージを前記第２無線基地局に送信し、
前記第２無線基地局は、前記第２のデータのうち最後のデータを前記移動局が受信したことを確認した場合に、前記メッセージへの応答として、前記所定のメッセージを送信することを特徴とする請求項５に記載の通信制御方法。
【請求項７】
前記メッセージは、前記第２データのうち最後のデータを示す情報を含むことを特徴とする請求項５に記載の通信制御方法。
【請求項８】
前記所定のメッセージは、前記第２のデータのうち前記移動局が受信できなかったデータを特定するための情報を含むことを特徴とする請求項５に記載の通信制御方法。
【請求項９】
分割ベアラに属する下りデータを第１無線基地局及び、第２無線基地局から受信する移動局を含む移動通信システムにおける通信制御方法であって、
前記第１無線基地局は、前記分割ベアラに属する第１データを前記移動局に送信し、前記分割ベアラに属する第２データを前記第２無線基地局に転送し、
前記第２無線基地局は、前記第２データを前記移動局に送信し、
前記第２無線基地局は、前記移動局との接続を解放することを決定した場合に、前記第１無線基地局に解放要求信号を送信し、
前記解放要求信号は、前記移動局との接続を解放する時点で送信済みの前記第２データの情報を含むことを特徴とする通信制御方法。
【請求項１０】
前記第１無線基地局が、前記第２無線基地局に、前記解放要求に対する応答信号を送信し、
前記第２無線基地局が、前記第１無線基地局に、前記解放要求の送信後から前記応答信号の受信までに、前記移動局に送信した前記第２データを特定する情報を通知することを特徴とする請求項９に記載の通信制御方法。
【請求項１１】
移動局は、第１無線基地局から割り当てられた無線リソースを用いて、分割ベアラに属する第１の上りデータを前記第１無線基地局に送信し、第２無線基地局から割り当てられた無線リソースを用いて、前記分割ベアラに属する第２の上りデータを前記第２無線基地局に送信し、
前記移動局は、前記第２無線基地局が前記無線リソースの割り当てを停止した場合、前記第２無線基地局に送信されていない前記第２の上りデータを、前記第１の基地局に送信することを特徴とする通信制御方法。
【請求項１２】
前記第２無線基地局は、前記移動局から受信した前記第２の上りデータを前記第１無線基地局に転送し、
前記第１無線基地局は、順序制御タイマを用いて、前記第１の上りデータと前記第２の上りデータとの順序を制御し、
前記第１無線基地局は、前記第２無線基地局が前記無線リソースの割り当てを停止した場合に、前記順序制御タイマを停止することを特徴とする請求項１１に記載の通信制御方法。
【請求項１３】
前記第１無線基地局は、前記移動局との接続を再設定した際又は前記接続の再設定が完了した際に、前記順序制御タイマを再開することを特徴とする請求項１１に記載の通信制御方法。
【請求項１４】
前記移動局は、前記第２無線基地局に、前記第２の上りデータ用のバッファの状況を報告し、
前記第２無線基地局は、前記無線リソースの割り当てを停止した場合、前記バッファの状況を、前記第１無線基地局に通知することを特徴とする請求項１１に記載の通信制御方法。
【請求項１５】
移動局は、分割ベアラに属する第１データを前記第１無線基地局に送信し、前記分割ベアラに属する第２データを前記第２無線基地局に送信し、
前記第２無線基地局は、前記第２データを前記第１無線基地局に転送し、
前記第１無線基地局は、前記第１データと前記第２データとの順序制御を行い、前記ＰＤＣＰパケットを生成し、
前記第１無線基地局は、前記分割ベアラが解放された場合、前記第１データ及び前記第２データのうち前記ＰＤＣＰパケット生成処理待ちのデータを破棄し、
前記第１無線基地局は、前記分割ベアラを解放した場合に、前記破棄されたデータを要求するための再送要求を前記移動局に送信することを特徴とする通信制御方法。
【請求項１６】
前記再送要求は、前記破棄されたデータを特定するためのＰＤＣＰパケットのシーケンス番号を含むことを特徴とする請求項１５に記載の通信制御方法。
【請求項１７】
二重接続方式において、移動局宛てのパケットを、分割ベアラを介して転送する送信部と、
セカンダリ基地局から前記移動局宛てのパケットのうち欠損したパケットを示す情報を受信する制御部と、
を備えることを特徴とするマスタ基地局。
【請求項１８】
二重接続方式において、分割ベアラを介してＰＤＣＰパケットを移動局に伝達する送信部と、
セカンダリ基地局から前記ＰＤＣＰパケットのうち前記移動局に成功裏に伝達したＰＤＣＰパケットのシーケンス番号を受信する制御部と、
を備えることを特徴とするマスタ基地局。
【発明の詳細な説明】
【技術分野】
【０００１】
本発明は、移動通信システムにおいて用いられるセカンダリ基地局、移動局、通信制御方法及びマスタ基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降において二重接続方式（Ｄｕａｌ  ｃｏｎｎｅｃｔｉｖｉｔｙ）の導入が予定されている（非特許文献１参照）。二重接続方式では、移動局は、複数の基地局との接続を同時に確立する。移動局には、各基地局から無線リソースが割り当てられるため、スループットの向上が見込まれる。【０００３】
二重接続方式では、移動局との接続を確立する複数の基地局のうち、１つの基地局（以下、「マスタ基地局」という）のみが当該移動局とのＲＲＣ接続を確立する。これに対し、当該複数の基地局のうち他の基地局（以下、「セカンダリ基地局」という）は、ＲＲＣ接続を移動局と確立せずに、追加的な無線リソースを移動局に提供する。なお、二重接続方式は、基地局間キャリアアグリゲーション（ｉｎｔｅｒ−ｅＮＢ  ＣＡ）と称されることもある。
【先行技術文献】
【非特許文献】
【０００４】
【非特許文献１】３ＧＰＰ技術報告書  「ＴＲ  ３６．８４２  Ｖ１２．０．０」      ２０１４年１月７日
【発明の概要】
【０００５】
一の実施形態に係るセカンダリ基地局は、二重接続方式において、マスタ基地局から分割ベアラを介して転送される移動局宛てのパケットを受信する受信部と、前記マスタ基地局から転送される前記移動局宛てのパケットのうち欠損したパケットを示す情報を前記マスタ基地局に報告する制御部と、を備える。
【０００６】
一の実施形態に係るセカンダリ基地局は、二重接続方式において、マスタ基地局から分割ベアラを介して受信したＰＤＣＰパケットを移動局に伝達する送信部と、前記マスタ基地局から受信した前記ＰＤＣＰパケットのうち前記移動局に成功裏に伝達したＰＤＣＰパケットのシーケンス番号を前記マスタ基地局に報告する制御部と、を備える。
【０００７】
一の実施形態に係る通信制御方法は、分割ベアラに属する下りデータを第１無線基地局及び、第２無線基地局から受信可能な移動局を含む移動通信システムにおける通信制御方法である。前記通信制御方法では、前記第１無線基地局は、前記分割ベアラに属する第１データを前記移動局に送信する。前記分割ベアラに属する第２データを前記第２無線基地局に転送し、前記第２無線基地局は、前記第２データを前記移動局に送信する。前記第２無線基地局は、前記第１無線基地局から転送された前記第２データを送信した後に、前記第１無線基地局に、前記第２のデータに関する所定のメッセージを送信する。
【０００８】
一の実施形態に係る通信制御方法は、分割ベアラに属する下りデータを第１無線基地局及び、第２無線基地局から受信する移動局を含む移動通信システムにおける通信制御方法である。前記通信制御方法では、前記第１無線基地局は、前記分割ベアラに属する第１データを前記移動局に送信し、前記分割ベアラに属する第２データを前記第２無線基地局に転送する。前記第２無線基地局は、前記第２データを前記移動局に送信する。前記第２無線基地局は、前記移動局との接続を解放することを決定した場合に、前記第１無線基地局に解放要求信号を送信する。前記解放要求信号は、前記移動局との接続を解放する時点で送信済みの前記第２データの情報を含む。
【０００９】
一の実施形態に係る通信制御方法では、移動局は、第１無線基地局から割り当てられた無線リソースを用いて、分割ベアラに属する第１の上りデータを前記第１無線基地局に送信し、第２無線基地局から割り当てられた無線リソースを用いて、前記分割ベアラに属する第２の上りデータを前記第２無線基地局に送信する。前記移動局は、前記第２無線基地局が前記無線リソースの割り当てを停止した場合、前記第２無線基地局に送信されていない前記第２の上りデータを、前記第１の基地局に送信する。
【００１０】
一の実施形態に係る通信制御方法では、前記第２無線基地局は、前記移動局から受信した前記第２の上りデータを前記第１無線基地局に転送する。前記第１無線基地局は、順序制御タイマを用いて、前記第１の上りデータと前記第２の上りデータとの順序を制御する。前記第１無線基地局は、前記第２無線基地局が前記無線リソースの割り当てを停止した場合に、前記順序制御タイマを停止する。
【００１１】
一の実施形態に係る通信制御方法では、移動局は、分割ベアラに属する第１データを前記第１無線基地局に送信し、前記分割ベアラに属する第２データを前記第２無線基地局に送信する。前記第２無線基地局は、前記第２データを前記第１無線基地局に転送する。前記第１無線基地局は、前記第１データと前記第２データとの順序制御を行い、前記ＰＤＣＰパケットを生成する。前記第１無線基地局は、前記分割ベアラが解放された場合、前記第１データ及び前記第２データのうち前記ＰＤＣＰパケット生成処理待ちのデータを破棄する。前記第１無線基地局は、前記分割ベアラを解放した場合に、前記破棄されたデータを要求するための再送要求を前記移動局に送信する。
【００１２】
一の実施形態に係るマスタ基地局は、二重接続方式において、移動局宛てのパケットを、分割ベアラを介して転送する送信部と、セカンダリ基地局から前記移動局宛てのパケットのうち欠損したパケットを示す情報を受信する制御部と、を備える。
【００１３】
一の実施形態に係るマスタ基地局は、二重接続方式において、分割ベアラを介してＰＤＣＰパケットを移動局に伝達する送信部と、セカンダリ基地局から前記ＰＤＣＰパケットのうち前記移動局に成功裏に伝達したＰＤＣＰパケットのシーケンス番号を受信する制御部と、を備える。
【図面の簡単な説明】
【００１４】
【図１】実施形態に係るＬＴＥシステムの構成図である。
【図２】実施形態に係るＵＥのブロック図である。
【図３】実施形態に係るeＮＢのブロック図である。
【図４】実施形態に係る二重接続方式のベアラの構成図である。
【図５】実施形態に係る動作（動作例１）を説明するためのシーケンス図である。
【図６】実施形態に係る動作（動作例２）を説明するためのシーケンス図である。
【図７】実施形態に係る異常検出処理を説明するためのシーケンス図である。
【図８】実施形態に係る動作（動作例３）を説明するためのシーケンス図である。
【図９】実施形態に係る動作（動作例４）を説明するためのシーケンス図である。
【図１０】実施形態に係る動作（動作例５）を説明するためのシーケンス図である。
【発明を実施するための形態】
【００１５】
（システム構成）
図１は、実施形態に係るＬＴＥシステムの構成図である。
【００１６】
図１に示すように、実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００１７】
ＵＥ１００は、移動局に相当する。ＵＥ１００は、移動型の通信装置であり、セル（サービングセル）との無線通信を行う。ＵＥ１００の構成については後述する。
【００１８】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、無線基地局に相当する。ｅＮＢ２００は、Ｘ２インターフェイスを介して相互に接続される。ｅＮＢ２００の構成については後述する。
【００１９】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００２０】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。ＳＧＷは、ユーザデータの転送制御を行う。ＭＭＥ／Ｓ−ＧＷ３００は、Ｓ１インターフェイスを介してｅＮＢ２００と接続される。
【００２１】
図２は、ＵＥ１００のブロック図である。図２に示すように、ＵＥ１００は、複数のアンテナ１０１、無線送受信機１１０、バッテリ１４０、メモリ１５０、及びプロセッサ１６０を備える。メモリ１５０及びプロセッサ１６０は、制御部を構成する。メモリ１５０をプロセッサ１６０と一体化し、このセット（すなわち、チップセット）をプロセッサ１６０’としてもよい。
【００２２】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００２３】
バッテリ１４０は、ＵＥ１００の各ブロックに供給すべき電力を蓄える。
【００２４】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００２５】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。メモリ２３０及びプロセッサ２４０は、制御部を構成する。また、メモリ２３０をプロセッサ２４０と一体化し、このセット（すなわち、チップセット）をプロセッサとしてもよい。
【００２６】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００２７】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００２８】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００２９】
（二重接続方式）
実施形態に係るＬＴＥシステムは、上りリンクにおいて二重接続方式をサポートする。
【００３０】
二重接続方式では、ＵＥ１００と接続を確立する複数のｅＮＢのうち、マスタｅＮＢ（ＭｅＮＢ）２００−１のみが、当該ＵＥ１００とのＲＲＣ接続を確立する。これに対し、当該複数のｅＮＢのうちセカンダリｅＮＢ（ＳｅＮＢ）２００−２は、ＲＲＣ層よりも下位層の接続をＵＥ１００と確立し、ＲＲＣ接続を当該ＵＥ１００と確立しない。
【００３１】
また、二重接続方式のユーザデータ制御においては、ＭｅＮＢ２００−１が、物理レイヤ、ＭＡＣレイヤ、ＲＬＣレイヤ、ＰＤＣＰレイヤの機能を提供する。これに対し、ＳｅＮＢ２００−２は、物理レイヤ、ＭＡＣレイヤ、ＲＬＣレイヤの機能を提供し、ＰＤＣＰの機能を提供しない。
【００３２】
ＭｅＮＢ２００−１とＳｅＮＢ２００−２の間にはＸｎインターフェイスが設定される。ＸｎインターフェイスはＸ２インターフェイス又は新たなインターフェイスである。ＭｅＮＢ２００−１とＳｅＮＢ２００−２の間で、制御信号の送受信や、ユーザデータの送受信に用いられる。
【００３３】
図４を用いて、二重接続方式のベアラ（Ｓｐｌｉｔ  Ｂｅａｒｅｒ）のユーザデータの経路を説明する。
【００３４】
Ｓｐｌｉｔ  Ｂｅａｒｅｒは、ＵＥ１００とＭｅＮＢ２００−１との間（経路＃Ａ）及び、ＵＥ１００からＳｅＮＢ２００−２を介してＭｅＮＢ２００−１との間（経路＃Ｂ）で設定される。Ｓｐｌｉｔ  Ｂｅａｒｅｒは、上りと下り両方のデータ送受信に適用してもよいし、上りデータ若しくは下りデータの一方を送受信に適用してもよい。
【００３５】
（下りデータ制御：ＭｅＮＢ２００−１からの解放要求）
Ｓｐｌｉｔ  Ｂｅａｒｅｒが設定されている場合、ＭｅＮＢ２００−１は、経路＃Ａを用いて、ＵＥ１００に直接下りデータを送信しつつ、経路＃Ｂを用いて、ＳｅＮＢ２００−２経由でＵＥ１００に下りデータを送信する。
【００３６】
（Ａ）動作例１
図５を用いて、ＭｅＮＢ２００−１が、Ｓｐｌｉｔ  Ｂｅａｒｅｒの経路＃Ｂを解放し、通常の接続方式に遷移する動作（動作例１）を説明する。
【００３７】
ＭｅＮＢ２００−１は、Ｘｎインターフェイスを用いてＳｐｌｉｔ  Ｂｅａｒｅｒの下りデータをＳｅＮＢ２００−２に転送する（Ｓ４０１）。
【００３８】
ＭｅＮＢ２００−１は、Ｓｐｌｉｔ  Ｂｅａｒｅｒについて、ＳｅＮＢ２００−２を介した下りデータの送信を止め、ＳｅＮＢ２００−２を解放することを決定する（Ｓ４０２）。具体的には、経路＃Ｂを解放することを決定する。この決定については、ＭｅＮＢ２００−１のＲＲＭ（Ｒａｄｉｏ  Ｒｅｓｏｕｒｃｅ  Ｍａｎａｇｅｍｅｎｔ）機能が行ってもよい。
【００３９】
経路＃Ｂの解放を決定すると、ＭｅＮＢ２００−１は、下りデータのＳｅＮＢ２００−２への送信を停止する（Ｓ４０３）。
【００４０】
ＭｅＮＢ２００−１は、経路＃Ｂの解放要求をＳｅＮＢ２００−２に通知する（Ｓ４０４）。この通知により、ＭｅＮＢ２００−１は、ＳｅＮＢ２００−２がＳｐｌｉｔ  Ｂｅａｒｅｒのために提供している付加的な無線リソースの解放を要求する。
【００４１】
解放要求は、ＳｅＮＢ  Ｒｅｌｅａｓｅ  Ｒｅｑｕｅｓｔメッセージを用いて送信してもよい。また、ＳｅＮＢ  Ｒｅｌｅａｓｅ  Ｒｅｑｕｅｓｔメッセージは、解放するＳｐｌｉｔ  Ｂｅａｒｅｒの情報を含んでもよい。
【００４２】
解放要求は、ＭｅＮＢ２００−１がＳｅＮＢ２００−２に転送する最後の下りデータを特定する情報を含んでもよい。例えば、最後の下りデータを特定する情報は、ＭｅＮＢ２００−１が送信した最後のＰＤＣＰパケット（ＰＤＣＰ  ＰＤＵ）のシーケンス番号を含むＥｎｄ  Ｍａｒｋｅｒでもよい。
【００４３】
ＳｅＮＢ２００−２は、ＭｅＮＢ２００−１から受信した下りデータを、ＵＥ１００に送信する（Ｓ４０５）。
【００４４】
また、ＳｅＮＢ２００−２は、ＵＥ１００から下りデータ（ＰＤＣＰパケット）の送達確認信号としてデータを受信できたことを示すＡｃｋを受信する（Ｓ４０６）。
【００４５】
ＳｅＮＢ２００−２は、最後の下りデータについてのＡｃｋを受信したことを確認する（Ｓ４０７）。
【００４６】
最後の下りデータについてのＡｃｋを受信したことを確認できた後、ＳｅＮＢ２００−２は、ＭｅＮＢ２００−１に解放要求への応答信号を送信する（Ｓ４０８）。この応答信号は、ＳｅＮＢ  Ｒｅｌｅａｓｅ  Ｒｅｓｐｏｎｓｅメッセージを用いてもよい。
【００４７】
ＳｅＮＢ２００−２から解放要求への応答信号を受信すると、ＭｅＮＢ２００−１は、ＵＥ１００との間で、ＲＲＣコネクションの再設定（ＲＲＣ  Ｃｏｎｎｅｃｔｉｏｎ  Ｒｅｃｏｎｆｉｇｕｒａｔｉｏｎ）を行う（Ｓ４０９）。ＲＲＣコネクションの再設定により、無線区間の設定は、二重接続方式から通常の接続方式に変更となる。
【００４８】
この方法を用いることにより、ＳｅＮＢ２００−２は、最後の下りデータがＵＥ１００に受信されたことを確認した後に、Ｓｐｌｉｔ  Ｂｅａｒｅｒの経路を解放することができる。
【００４９】
（Ｂ）動作例２
次に、図６を用いて、ＭｅＮＢ２００−１が、Ｓｐｌｉｔ  Ｂｅａｒｅｒの経路＃Ｂを解放し、通常の接続方式に遷移する別の動作（動作例２）を説明する。
【００５０】
ＭｅＮＢ２００−１は、Ｘｎインターフェイスを用いてＳｐｌｉｔ  Ｂｅａｒｅｒの下りデータをＳｅＮＢ２００−２に転送する（Ｓ５０１、ｄａｔａ  ｔｒａｎｓｆｅｒ  ｆｏｒ  ｓｐｌｉｔ  ｂｅａｒｅｒ）。
【００５１】
ＭｅＮＢ２００−１は、経路＃Ｂの解放要求をＳｅＮＢ２００−２に通知する（Ｓ５０２）。この通知により、ＭｅＮＢ２００−１は、ＳｅＮＢ２００−２がＳｐｌｉｔ  Ｂｅａｒｅｒのために提供している付加的な無線リソースの解放を要求する。
【００５２】
解放要求は、解放するＳｐｌｉｔ  Ｂｅａｒｅｒの情報を含むＳｅＮＢ  Ｒｅｌｅａｓｅ  Ｒｅｑｕｅｓｔリクエストを用いて送信してもよい。
【００５３】
ＳｅＮＢ２００−２は、ＵＥ１００に下りデータ（ＰＤＣＰパケット）を送信している（Ｓ５０３）。
【００５４】
ＳｅＮＢ２００−２は、送達確認信号として下りデータが受信できなかった旨を示すＮａｃｋ信号を受信する（Ｓ５０４）、或いはＳｅＮＢ２００−２は、送達確認信号を受信できない下りデータ（ＰＤＣＰパケット）を特定する。
【００５５】
ＳｅＮＢ２００−２は、正常に送信できなかったＰＤＣＰパケットのリストを生成する（Ｓ５０５）。
【００５６】
ＳｅＮＢ２００−２は、ＭｅＮＢ２００−１に解放要求への応答を送信する（Ｓ５０６）。応答信号には、正常に送信できなかったＰＤＣＰパケットのリストを含んでもよい。また、解放要求への応答は、ＳｅＮＢ  Ｒｅｌｅａｓｅ  Ｒｅｓｐｏｎｓｅメッセージを用いてもよい。
【００５７】
この方法を用いることにより、ＭｅＮＢ２００−１は、ＵＥ１００が受信できなかったＰＤＣＰパケットを特定することができる。
【００５８】
（異常検出処理）
図７を用いて、ＵＥ１００が、Ｓｐｌｉｔ  Ｂｅａｒｅｒの経路＃Ｂの異常を検出した際の動作を説明する。
【００５９】
ＵＥ１００が、Ｓｐｌｉｔ  Ｂｅａｒｅｒの経路＃Ｂを用いてＳｅＮＢ２００−２とデータ（ＰＤＣＰパケット）の送受信を行っている。
【００６０】
ＵＥ１００は、ＵＥ１００とＳｅＮＢ２００−２との間で設定している無線リンクの異常を検出する（Ｓ６０１）。具体的には、ＵＥ１００は、無線リンクにおける問題や、非正常な解放や、無線リンク断（ＲＬＦ、  Ｒａｄｉｏ  Ｌｉｎｋ  Ｆａｉｌｕｒｅ）を検出する。
【００６１】
無線リンクの異常を検出すると、ＵＥ１００は、未受信のＰＤＣＰパケットのシーケンス番号（ＰＤＵ  ＳＮ）を確認する（Ｓ６０２）。
【００６２】
ＵＥ１００は、未受信のＰＤＣＰパケットのシーケンス番号を、ＭｅＮＢ２００−１に送信する（Ｓ６０３）。例えば、ＵＥ１００は、Ｕｎｄｅｒｉｖｅｒｅｄ  Ｓｅｑｕｅｎｃｅ  Ｎｕｍｂｅｒ  Ｒｅｐｏｒｔメッセージに、未送信のＰＤＣＰパケットのシーケンス番号を含めて送信してもよい。もしくは、ＵＥ１００は、ＰＤＣＰ  Ｓｔａｔｕｓ  ＲｅｐｏｒｔをＭｅＮＢ２００−１に送信してもよい。
【００６３】
これにより、ＵＥ１００が、ＵＥ１００とＳｅＮＢ２００−２との間の無線リンクの異常を検出した際にも、ＭｅＮＢ２００−１に未送信のＰＤＣＰパケットを認識できる情報を通知することができる。ＭｅＮＢ２００−１は、未送信のＰＤＣＰパケットを再送することができる。
【００６４】
（下りデータ制御：ＳｅＮＢ２００−２からの解放要求）
（Ｃ）動作例３
図８を用いて、ＳｅＮＢ２００−２が、Ｓｐｌｉｔ  Ｂｅａｒｅｒの経路＃Ｂを解放する動作（動作例３）を説明する。
【００６５】
ＭｅＮＢ２００−１は、下りデータをＳｅＮＢ２００−２に転送する（Ｓ７０１）。ＳｅＮＢ２００−２は、受信した下りデータを、ＵＥ１００に送信する。
【００６６】
ＳｅＮＢ２００−２は、Ｓｐｌｉｔ  Ｂｅａｒｅｒの経路＃Ｂを解放することを決定する（Ｓ７０２）。例えば、ＳｅＮＢ２００−２のＲＲＭ（Ｒａｄｉｏ  Ｒｅｓｏｕｒｃｅ  Ｍａｎａｇｅｍｅｎｔ）が、Ｓｐｌｉｔ  Ｂｅａｒｅｒの経路＃Ｂを解放することを決定する。
【００６７】
ＳｅＮＢ２００−２は、ＭｅＮＢ２００−１にＳｐｌｉｔ  Ｂｅａｒｅｒの経路＃Ｂの解放要求を送信する（Ｓ７０３）。解放要求は、ＳｅＮＢ  Ｒｅｌｅａｓｅ  Ｒｅｑｕｅｓｔメッセージを用いてもよい。また、解放要求にはＳｅＮＢ２００−１からＵＥ１００に送信した下りデータを特定する情報、具体的には、ＰＤＣＰ  ＳＤＵのシーケンス番号を含めて送信してもよい。当該下りデータを特定する情報は、ＳｅＮＢ２００−１がＵＥ１００との接続を解放する時点で送信済みの下りデータの情報である。
【００６８】
ＭｅＮＢ２００−１は、ＳｅＮＢ２００−２からの解放要求を受信すると、ＳｅＮＢ２００−２へのデータの転送を停止する（Ｓ７０４）。より具体的には、ＭｅＮＢ２００−１は、ＳｅＮＢ２００−２からの解放要求を受信して、受け入れを決めた場合（ＲＲＭ  ｄｅｃｉｓｉｏｎ）には、ＳｅＮＢ２００−２へのデータの転送を停止する。
【００６９】
ＭｅＮＢ２００−１は、ＳｅＮＢ２００−２がＵＥ１００に送信した最後のデータを確認する（Ｓ７０５）。
【００７０】
ＳｅＮＢ２００−２は、ＭｅＮＢ２００−１から転送されたデータを、ＵＥ１００に送信する（Ｓ７０６）。ＳｅＮＢ２００−２は、ＵＥ１００から確認信号（Ａｃｋ）を受信する（Ｓ７０７）。
【００７１】
ＭｅＮＢ２００−１は、ＳｅＮＢ２００−２に解放要求への応答を送信する（Ｓ７０８）。解放要求への応答は、ＳｅＮＢ  Ｒｅｌｅａｓｅ  Ｒｅｓｐｏｎｓｅメッセージを用いてもよい。
【００７２】
ＭｅＮＢ２００−１は、ＵＥ１００との間で、ＲＲＣコネクションの再設定（ＲＲＣ  Ｃｏｎｎｅｃｔｉｏｎ  Ｒｅｃｏｎｆｉｇｕｒａｔｉｏｎ）を行う（Ｓ７０９）。ＲＲＣコネクションの再設定により、無線区間の設定は、二重接続方式から通常の接続方式に変更となる。
【００７３】
（上りデータ制御：ＭｅＮＢ２００−１からの解放要求）
（Ｄ）動作例４
図９を用いて、ＭｅＮＢ２００−１が、Ｓｐｌｉｔ  Ｂｅａｒｅｒの経路＃Ｂを解放する動作（動作例４）を説明する。
【００７４】
二重通信方式で上りデータを送信する際には、ＵＥは、スケジューリングリクエスト（ＳＲ：Ｓｃｈｅｄｕｌｉｎｇ  Ｒｅｑｕｅｓｔ）や、バッファ状況報告（ＢＳＲ：Ｂｕｆｆｅｒ  Ｓｔａｔｕｓ  Ｒｅｐｏｒｔ）を、ＳｅＮＢ２００−２に送信する（Ｓ８０１）。バッファ状況報告は、ＳｅＮＢ２００−２向けの上りデータの送信バッファ領域の状況を示す報告であってもよい。
【００７５】
ＳｅＮＢ２００−２は、ＰＤＣＣＨにて、ＵＥが上りデータを送信するためのリソースを割り当てる（Ｓ８０２）。
【００７６】
リソースの割り当てを受けると、ＵＥ１００は、上りデータを送信する（Ｓ８０３）。
【００７７】
ＭｅＮＢ２００−１は、Ｓｐｌｉｔ  Ｂｅａｒｅｒの経路＃Ｂを解放することを決定する（Ｓ８０４）。例えば、ＭｅＮＢ２００−１のＲＲＭ（Ｒａｄｉｏ  Ｒｅｓｏｕｒｃｅ  Ｍａｎａｇｅｍｅｎｔ）が、Ｓｐｌｉｔ  Ｂｅａｒｅｒの経路＃Ｂを解放することを決定する。
【００７８】
ＭｅＮＢ２００−１は、ＳｅＮＢ２００−２にＳｐｌｉｔ  Ｂｅａｒｅｒの経路＃Ｂの解放要求を送信する（Ｓ８０５）。解放要求は、ＳｅＮＢ  Ｒｅｌｅａｓｅ  Ｒｅｑｕｅｓｔメッセージを用いてもよい。
【００７９】
ＵＥ１００は、ＳＲやＢＳＲをＳｅＮＢ２００−２に送信するが（Ｓ８０６）、ＳｅＮＢ２００−２は、Ｓｐｌｉｔ  Ｂｅａｒｅｒの経路＃Ｂへの上りデータ送信用リソースの割り当てを停止する（Ｓ８０８）。
【００８０】
ＭｅＮＢ２００−１は、Ｓ８０５の解放要求を送信すると、順序制御タイマを停止する（Ｓ８０７）。
【００８１】
ＳｅＮＢ２００−２は、解放要求への応答を送信する（Ｓ８０９）。解放要求への応答は、ＳｅＮＢ  Ｒｅｌｅａｓｅ  Ｒｅｓｐｏｎｓｅメッセージを用いてもよい。また、ＳｅＮＢ２００−２は、解放要求への応答に、ＵＥの上り送信バッファに残っている未送信の上りデータ量に関する情報を含んでもよい。また、解放要求への応答に、ＵＥ１００から受信したＢＳＲをそのまま含んでもよい。
【００８２】
ＭｅＮＢ２００−１は、ＵＥ１００との間で、ＲＲＣコネクションの再設定（ＲＲＣ  Ｃｏｎｎｅｃｔｉｏｎ  Ｒｅｃｏｎｆｉｇｕｒａｔｉｏｎ）を行う（Ｓ８１０）。ＲＲＣコネクションの再設定により、無線区間の設定は、二重接続方式から通常の接続方式に変更となる。Ｓ８１０の処理が完了した後に、順序制御タイマを再開してもよい（Ｓ８１３）。
【００８３】
ＭｅＮＢ２００−１は、ＰＤＣＣＨにて、ＵＥが上りデータを送信するためのリソースを割り当てる（Ｓ８１１）。
【００８４】
ＵＥは、上り送信バッファに残っている未送信の上りデータから、ＭｅＮＢ２００−１に、上りデータの送信をする（Ｓ８１２）。
【００８５】
これにより、Ｓｐｌｉｔ  Ｂｅａｒｅｒの経路＃Ｂを解放した場合でも、ＵＥ１００は、ＳｅＮＢ２００−２向けの上りデータの送信先を、ＭｅＮＢ２００−１に変更して送信することができる。また、Ｓｐｌｉｔ  Ｂｅａｒｅｒの経路＃Ｂを解放後に、ＭｅＮＢ２００−１は、ＳｅＮＢ２００−２向けの未送信上りデータの量から適切な順序制御をすることができる。
【００８６】
（Ｅ）動作例５
次に、図１０を用いて、ＭｅＮＢ２００−１が、Ｓｐｌｉｔ  Ｂｅａｒｅｒの経路＃Ｂを解放する動作（動作例５）を説明する。図１０の実施形態では、Ｓｐｌｉｔ  Ｂｅａｒｅｒの経路＃Ｂを解放後に、ＳｅＮＢ２００−２向けの未送信上りデータの送信先をＭｅＮＢ２００−１に変更しない。図９の実施形態と異なる部分について説明する。
【００８７】
Ｓ９０１からＳ９０７の手順は、図９の実施形態と同じであるため、説明を省略する。
【００８８】
ＳｅＮＢ２００−２は、解放要求への応答を送信する（Ｓ９０８）。解放要求への応答は、ＳｅＮＢ  Ｒｅｌｅａｓｅ  Ｒｅｓｐｏｎｓｅメッセージを用いてもよい。
【００８９】
ＭｅＮＢ２００−１は、ＵＥ１００との間で、ＲＲＣコネクションの再設定（ＲＲＣ  Ｃｏｎｎｅｃｔｉｏｎ  Ｒｅｃｏｎｆｉｇｕｒａｔｉｏｎ）を行う（Ｓ９０９）。ここで、Ｓ９０９の手順は、Ｓ８１０と同様である。
【００９０】
ＭｅＮＢ２００−１は、ＭｅＮＢ２００−１のバッファに格納されているＰＤＣＰ  ＳＤＵ（ＩＰパケット）生成待ちのＰＤＣＰパケット（ＲＬＣデータ）を破棄する（Ｓ９１０）。
【００９１】
ＵＥ１００は、未送信のＰＤＣＰパケットを破棄する（Ｓ９１１）。
【００９２】
ＭｅＮＢ２００−１は、ＭｅＮＢ２００−１が生成待ちのＰＤＣＰパケット（ＲＬＣデータ）を破棄したことにより再送が必要となるＰＤＣＰ  ＳＤＵのシーケンス番号を通知してもよい（Ｓ９１２）。
【００９３】
ＭｅＮＢ２００−１は、ＰＤＣＣＨにて、ＵＥが上りデータを送信するためのリソースを割り当てる（Ｓ９１３）。
【００９４】
ＵＥ１００は、ＭｅＮＢ２００−１に上りデータを再送する（Ｓ９１４）。ＵＥは、再送が必要となるＰＤＣＰ  ＳＤＵのシーケンス番号を通知されている場合は、再送を行う。
【００９５】
ＭｅＮＢ２００−１が、Ｓｐｌｉｔ  Ｂｅａｒｅｒの経路＃Ｂを解放する際に、再送が必要となるデータを識別する情報をＵＥ１００に通知する。これにより、Ｓｐｌｉｔ  Ｂｅａｒｅｒの経路＃Ｂを解放後に、ＵＥ１００は適切な上りデータをＭｅＮＢ２００−１に送信することができる。
【００９６】
［その他の実施形態］
上述した実施形態（動作例３）において、ＳｅＮＢ２００−１は、ＭｅＮＢ２００−１に解放要求を送信した後からＭｅＮＢ２００−１から解放要求に対する応答信号を受信するまでに、ＵＥ１００に送信した下りデータを特定する情報を、ＭｅＮＢ２００−１に通知してもよい。
【００９７】
上述した実施形態では、ＵＥ１００が、ＭｅＮＢ２００−１と、１つのＳｅＮＢ２００−２とで二重接続を実施する形態を説明したが、ＵＥ１００が、ＭｅＮＢ２００−１と、複数のＳｅＮＢ２００−２とで二重接続を実施することも、同様の手順を用いて実施可能である。
【００９８】
また、二重接続を実施するＭｅＮＢ２００−１とＳｅＮＢ２００−２とのセルの種別には特に限定はない。例えば、マクロセルと小セルとの組み合わせ、マクロセルとピコセルの組み合わせ、ピコセルとフェムトセルの組み合わせ、マクロセルとマクロセルの組み合わせで二重接続方式の通信を行ってもよい。
【００９９】
さらに、ＭｅＮＢ２００−１は、ＳｅＮＢ２００−２として、ＬＴＥ以外の無線システムの基地局、例えばＷＬＡＮ  ＡＰを用いて付加的なリソースを提供するように構成してもよい。
【０１００】
また、上述した実施形態では、移動通信システムの一例としてＬＴＥシステムを説明したが、ＬＴＥシステムに限定されるものではなく、ＬＴＥシステム以外のシステムに本発明を適用してもよい。
【０１０１】
なお、日本国特許出願第２０１４−０５７９３２号（２０１４年３月２０日出願）の全内容が、参照により、本願明細書に組み込まれている。
【産業上の利用可能性】
【０１０２】
以上のように、本実施形態に係るセカンダリ基地局、移動局、通信制御方法及びマスタ基地局によれば、二重接続方式の通信を適切に行うことができるため、移動通信分野において有用である。
【図１】
2015141846.tif 000003
【図２】
2015141846.tif 000004
【図３】
2015141846.tif 000005
【図４】
2015141846.tif 000006
【図５】
2015141846.tif 000007
【図６】
2015141846.tif 000008
【図７】
2015141846.tif 000009
【図８】
2015141846.tif 000010
【図９】
2015141846.tif 000011
【図１０】
2015141846.tif 000012
【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
マスタ基地局とＸ２インタフェースを介して接続されており、前記マスタ基地局から分割ベアラを通じて下り方向データを移動局に送信する二重接続通信で用いるセカンダリ基地局であって、
前記マスタ基地局から転送される前記下り方向データを受信する受信部と、
前記受信部によって受信された前記下り方向データを前記移動局に送信する送信部と、
前記分割ベアラの解放を要求するか否かを決定する制御部とを備え、
前記送信部は、前記分割ベアラの解放を要求する場合に、前記分割ベアラの解放を要求する解放要求メッセージを前記マスタ基地局に送信する、セカンダリ基地局。
【請求項２】
前記受信部は、前記解放要求メッセージに対する解放要求応答メッセージを前記マスタ基地局から受信し、
前記送信部は、前記解放要求応答メッセージの受信に応じて、前記移動局に対する前記下り方向データの送信を停止する、請求項１に記載のセカンダリ基地局。
【請求項３】
前記受信部は、前記解放要求メッセージに対する解放要求応答メッセージを前記マスタ基地局から受信し、
前記送信部は、前記解放要求メッセージを送信した後であっても、前記解放要求応答メッセージを受信するまで、前記移動局に対する前記下り方向データの送信を継続する、請求項１に記載のセカンダリ基地局。
【請求項４】
前記送信部は、前記下り方向データのシーケンス番号に関する情報を前記マスタ基地局に送信する、請求項１に記載のセカンダリ基地局。
【請求項５】
前記分割ベアラは、前記マスタ基地局のＰＤＣＰ層で分岐されており、
前記シーケンス番号は、前記ＰＤＣＰ層におけるパケットのシーケンス番号である、請求項４に記載のセカンダリ基地局。
【請求項６】
マスタ基地局及びセカンダリ基地局とＸ２インタフェースを介して接続されており、前記マスタ基地局から分割ベアラを通じて下り方向データを移動局に送信する二重接続通信を行う移動通信システムであって、
前記セカンダリ基地局は、
前記マスタ基地局から転送される前記下り方向データを受信する受信部と、
前記受信部によって受信された前記下り方向データを前記移動局に送信する送信部と、
前記分割ベアラの解放を要求するか否かを決定する制御部とを備え、
前記送信部は、前記分割ベアラの解放を要求する場合に、前記分割ベアラの解放を要求する解放要求メッセージを前記マスタ基地局に送信する、移動通信システム。
【請求項７】
マスタ基地局及びセカンダリ基地局とＸ２インタフェースを介して接続されており、前記マスタ基地局から分割ベアラを通じて下り方向データを移動局に送信する二重接続通信が行われる移動通信方法であって、
前記セカンダリ基地局が、前記マスタ基地局から転送される前記下り方向データを受信するステップと、
前記セカンダリ基地局が、受信した前記下り方向データを前記移動局に送信するステップと、
前記セカンダリ基地局が、前記分割ベアラの解放を要求する場合に、前記分割ベアラの解放を要求する解放要求メッセージを前記マスタ基地局に送信するステップとを備える、移動通信方法。
【国際調査報告】
2015141846.tif 000013
2015141846.tif 000014
2015141846.tif 000015
2015141846.tif 000016
2015141846.tif 000017